(57)【要約】  モバイル通信システムにおいてランダムアクセス手順で応答メッセージを送信する方法であって、方法は、アップリンクランダムアクセス要求を送信することと、ランダムアクセス要求に応答して、ダウンリンクメッセージを送信するためのダウンリンクリソースを示すダウンリンク割当てメッセージを送信することと、ダウンリンク割当てメッセージに示されたリソースを使用してダウンリンクメッセージを送信することと、ダウンリンクメッセージを受信したことに応答して、アップリンクメッセージを送信することと、１つ以上の応答リソースを使用して、アップリンクメッセージに関する応答メッセージを送信することであって、１つ以上の応答リソースが、ダウンリンク割当てメッセージ、ダウンリンクメッセージ、及びアップリンクランダムアクセス要求のうちの少なくとも１つに基づいて識別されることとを含む。【選択図】図５
2018528694.tif 000002
【特許請求の範囲】
【請求項１】
モバイル通信システムにおいてランダムアクセス手順で応答メッセージを送信する方法であって、
アップリンクランダムアクセス要求を送信することと、
前記ランダムアクセス要求に応答して、ダウンリンクメッセージを送信するためのダウンリンクリソースを示すダウンリンク割当てメッセージを送信することと、
前記ダウンリンク割当てメッセージに示された前記リソースを使用して前記ダウンリンクメッセージを送信することと、
前記ダウンリンクメッセージを受信したことに応答して、アップリンクメッセージを送信することと、
１つ以上の応答リソースを使用して、前記アップリンクメッセージに関する応答メッセージを送信することであって、前記１つ以上の応答リソースが、前記ダウンリンク割当てメッセージ、前記ダウンリンクメッセージ、及び前記アップリンクランダムアクセス要求のうちの少なくとも１つに基づいて識別されることと、
を含む方法。
【請求項２】
前記ダウンリンクメッセージが、前記アップリンクメッセージの前記送信のために１つ以上のアップリンクリソースを割り当て、前記１つ以上のアップリンクリソースを使用して前記アップリンクメッセージが送信される、請求項１に記載の方法。
【請求項３】
前記１つ以上の応答リソースが、前記ダウンリンク割当てメッセージ内の応答リソースインジケータに少なくとも部分的に基づいて識別される、請求項１に記載の方法。
【請求項４】
前記１つ以上の応答リソースが、前記ダウンリンク割当てメッセージを送信するために使用される１つ以上のリソースのセットに少なくとも部分的に基づいて識別される、請求項１に記載の方法。
【請求項５】
前記１つ以上の応答リソースが、前記ダウンリンクメッセージ内の応答リソースインジケータに少なくとも部分的に基づいて識別される、請求項１に記載の方法。
【請求項６】
前記１つ以上の応答リソースが、前記ダウンリンクメッセージを送信するために使用される１つ以上のリソースのセットに少なくとも部分的に基づいて識別される、請求項１に記載の方法。
【請求項７】
前記１つ以上の応答リソースが、アップリンクランダムアクセス要求を送信するために使用される１つ以上のリソースのセットに少なくとも部分的に基づいて識別される、請求項１に記載の方法。
【請求項８】
前記１つ以上の応答リソースが、応答メッセージを送信するためのリソースの１つ以上のセットの指示に少なくとも部分的に基づいてさらに識別され、前記指示がブロードキャストメッセージに含まれる、請求項１に記載の方法。
【請求項９】
前記１つ以上の応答リソースが、前記応答メッセージの前記送信のための反復レベルに少なくとも部分的に基づいてさらに識別される、請求項１に記載の方法。
【請求項１０】
前記１つ以上の応答リソースの周波数帯域及びタイミングのうちの少なくとも１つが、前記ダウンリンク割当てメッセージ及び前記ダウンリンクメッセージのうちの少なくとも１つに基づいて識別される、請求項１に記載の方法。
【請求項１１】
前記応答メッセージが否定応答のためのものである場合、前記応答メッセージが、
前記アップリンクメッセージの再送のためのスケジューリング情報のない否定応答、又は
前記アップリンクメッセージの再送のためのスケジューリング情報を含む否定応答
を含む、請求項１に記載の方法。
【請求項１２】
前記ダウンリンク割当てメッセージが、ダウンリンク制御情報「ＤＣＩ」メッセージであり、及び／又は
前記ダウンリンクメッセージが、ランダムアクセス応答「ＲＡＲ」メッセージであり、及び／又は
前記アップリンクメッセージが、接続を開始するための無線リソース制御「ＲＲＣ」メッセージを送信するためのものである
請求項１に記載の方法。
【請求項１３】
前記応答メッセージが、肯定応答又は否定応答のうちの１つ、及び肯定応答のみを示すためのものである、請求項１に記載の方法。
【請求項１４】
ランダムアクセス手順で応答メッセージを送信するためのモバイル通信システムであって、モバイルノードと端末とを含み、
前記端末から前記モバイルノードにアップリンクランダムアクセス要求を送信し、
前記ランダムアクセス要求に応答して、前記モバイルノードから前記端末に、ダウンリンクメッセージを送信するためのダウンリンクリソースを示すダウンリンク割当てメッセージを送信し、
前記モバイルノードから前記端末に、前記ダウンリンク割当てメッセージに示された前記リソースを使用して前記ダウンリンクメッセージを送信し、
前記ダウンリンクメッセージの受信に応答して、前記端末から前記モバイルノードに、アップリンクメッセージを送信し、
前記モバイルノードから前記端末に、１つ以上の応答リソースを使用して、前記アップリンクメッセージに関する応答メッセージを送信し、前記１つ以上の応答リソースが、前記ダウンリンク割当てメッセージ、前記ダウンリンクメッセージ、及び前記アップリンクランダムアクセス要求のうちの少なくとも１つに基づいて識別される
ように構成されるモバイル通信システム。
【請求項１５】
モバイル通信システムにおいてランダムアクセス手順で応答メッセージを受信するために端末を動作させる方法であって、
アップリンクランダムアクセス要求を送信することと、
前記アップリンクランダムアクセス要求に応答して、ダウンリンクメッセージを送信するためのダウンリンクリソースを示すダウンリンク割当てメッセージを受信することと、
前記ダウンリンク割当てメッセージに示された前記リソースを使用して前記ダウンリンクメッセージを受信することと、
前記ダウンリンクメッセージの受信に応答して、前記送信機を介してアップリンクメッセージを送信することと、
前記受信機を介して、１つ以上の応答リソースを使用して、前記アップリンクメッセージに関する応答メッセージを受信することであり、前記１つ以上の応答リソースが、前記ダウンリンク割当てメッセージ及び前記ダウンリンクメッセージのうちの少なくとも１つに基づいて識別されることと
を含む方法。
【請求項１６】
モバイル通信システムにおいてランダムアクセス手順で応答メッセージを受信するための端末であって、前記端末が送信機、受信機、及びコントローラを含み、前記コントローラが、
前記送信機を介して、アップリンクランダムアクセス要求を送信し、
前記受信機を介して、前記アップリンクランダムアクセス要求に応答して、ダウンリンクメッセージを送信するためのダウンリンクリソースを示すダウンリンク割当てメッセージを受信し、
前記受信機を介して、前記ダウンリンク割当てメッセージに示された前記リソースを使用して前記ダウンリンクメッセージを受信し、
前記ダウンリンクメッセージの受信に応答して、前記送信機を介してアップリンクメッセージを送信し、
前記受信機を介して、１つ以上の応答リソースを使用して、前記アップリンクメッセージに関する応答メッセージを受信し、前記１つ以上の応答リソースが、前記ダウンリンク割当てメッセージ及び前記ダウンリンクメッセージのうちの少なくとも１つに基づいて識別される、
ように構成される、
端末。
【請求項１７】
前記コントローラが、前記受信されたダウンリンク割当てメッセージ及び前記受信されたダウンリンクメッセージのうちの少なくとも１つに基づいて、前記１つ以上の応答リソースを識別するように構成される、請求項１６に記載の端末。
【請求項１８】
前記受信機が、第１の周波数帯域から信号を受信し、任意の時点で、帯域幅閾値を超えない帯域幅を有する第２の周波数帯域の信号を受信するように構成され、前記第２の周波数帯域が、前記第１の周波数帯域内にあり、前記第１の周波数帯域の前記帯域幅が前記帯域幅閾値を超える、請求項１６に記載の端末。
【請求項１９】
モバイル通信システムにおいてランダムアクセス手順で応答メッセージを受信するための端末のための集積回路であって、前記集積回路がコントローラ要素とトランシーバ要素とを含み、前記コントローラ要素及びトランシーバ要素が一緒に動作して、
前記トランシーバ要素を介して、アップリンクランダムアクセス要求を送信し、
前記トランシーバ要素を介して、前記アップリンクランダムアクセス要求に応答して、ダウンリンクメッセージを送信するためのダウンリンクリソースを示すダウンリンク割当てメッセージを受信し、
前記トランシーバ要素を介して、前記ダウンリンク割当てメッセージに示された前記リソースを使用して前記ダウンリンクメッセージを受信し、
前記ダウンリンクメッセージの受信に応答して、前記トランシーバ要素を介してアップリンクメッセージを送信し、
前記トランシーバ要素を介して、１つ以上の応答リソースを使用して、前記アップリンクメッセージに関する応答メッセージを受信し、前記１つ以上の応答リソースが、前記ダウンリンク割当てメッセージ及び前記ダウンリンクメッセージのうちの少なくとも１つに基づいて識別される、
ように構成される、
集積回路。
【請求項２０】
モバイル通信システムにおいてランダムアクセス手順で応答メッセージを送信するためにモバイルノードを動作させる方法であって、
前記受信機を介して、アップリンクランダムアクセス要求を受信することと、
前記ランダムアクセス要求に応答して、前記送信機を介して、ダウンリンクメッセージを送信するためのダウンリンクリソースを示すダウンリンク割当てメッセージを送信し、
前記送信機を介して、前記ダウンリンク割当てメッセージに示された前記リソースを使用して前記ダウンリンクメッセージを送信し、
前記受信機を介して、アップリンクメッセージのためのアップリンク信号を受信し、
前記送信機を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、
を含む方法。
【請求項２１】
モバイル通信システムにおいてランダムアクセス手順で応答メッセージを送信するためのモバイルノードであって、前記モバイルノードが送信機、受信機、及びコントローラを含み、前記コントローラが、
前記受信機を介して、アップリンクランダムアクセス要求を受信し、
前記ランダムアクセス要求に応答して、前記送信機を介して、ダウンリンクメッセージを送信するためのダウンリンクリソースを示すダウンリンク割当てメッセージを送信し、
前記送信機を介して、前記ダウンリンク割当てメッセージに示された前記リソースを使用して前記ダウンリンクメッセージを送信し、
前記受信機を介して、アップリンクメッセージのためのアップリンク信号を受信し、
前記送信機を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、
ように構成される
モバイルノード。
【請求項２２】
モバイル通信システムにおいてランダムアクセス手順で応答メッセージを送信するためのモバイルノードのための集積回路であって、前記集積回路がコントローラ要素とトランシーバ要素とを含み、前記コントローラ要素及びトランシーバ要素が一緒に動作して、
前記トランシーバ要素を介して、アップリンクランダムアクセス要求を受信し、
前記ランダムアクセス要求に応答して、前記トランシーバ要素を介して、ダウンリンクメッセージを送信するためのダウンリンクリソースを示すダウンリンク割当てメッセージを送信し、
前記トランシーバ要素を介して、前記ダウンリンク割当てメッセージに示された前記リソースを使用して前記ダウンリンクメッセージを送信し、
前記トランシーバ要素を介して、アップリンクメッセージのためのアップリンク信号を受信し、
前記トランシーバ要素を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、
ように構成される、
集積回路。
【請求項２３】
コンピュータによって実行されると、前記コンピュータに請求項１、１５、又は２０の前記方法を実行させるコンピュータソフトウェア。
【請求項２４】
請求項２３に記載のコンピュータソフトウェアを記憶した記憶媒体。
【発明の詳細な説明】
【技術分野】
【０００１】
本開示は、通信装置及び方法に関する。
【背景技術】
【０００２】
本明細書で提供される「背景技術」の記載は、本開示の文脈を一般的に提示するためのものである。この背景技術セクションに記載されている範囲で、現在の発明者の研究、並びに、そうでない場合出願時に従来技術として認められない可能性のある記載の態様は、本発明に対する従来技術として明示的又は暗黙的に認められない。
【０００３】
３ＧＰＰで定義されたＵＭＴＳ並びにＬＴＥ（Long  Term  Evolution）及びＬＴＥ−Ａ（Long  Term  Evolution  Advanced）アーキテクチャに基づくものなど、モバイル通信システムは、以前の世代のモバイル通信システムによって提供された単純な音声及びメッセージングサービスよりも高度なサービスをサポートすることができる。例えば、ＬＴＥシステムによって提供される改善された無線インターフェース及び拡張データレートにより、ユーザは、以前は固定回線のデータ接続を介してのみ利用可能であったビデオストリーミング及びビデオ会議などの高データレートアプリケーションをモバイル通信デバイス上で楽しむことができる。
【０００４】
第３世代及び第４世代ネットワークの予想される広範な展開によって、使用可能な高データレートを利用する代わりに、堅牢な無線インターフェースを利用するデバイス及びアプリケーションの類が並行して開発され、カバレージエリアの偏在性が高まった。例には、いわゆるマシンタイプ通信（ＭＴＣ）アプリケーションがあり、そのうちの一部は、いくつかの点で、比較的まれに少量のデータを通信する半自律型又は自律型のワイヤレス通信デバイス（ＭＴＣデバイス）に代表される。例には、例えば、顧客の家の中にあり、ガス、水、電気などのユーティリティの消費者の消費に関連するデータを中央のＭＴＣサーバに定期的に返送する、いわゆるスマートメータがある。スマートメータリングは、潜在的なＭＴＣデバイスアプリケーションの一例にすぎない。ＭＴＣ型デバイスの特性に関するさらなる情報は、３ＧＰＰ  ＴＳ  ２２．３６８  ｖｅｒｓｉｏｎ  １３．１．０  Ｒｅｌｅａｓｅ  １３（２０１４−１２）［１］など、対応する規格において見つけることができる。
【０００５】
ＭＴＣ型端末などの端末が第３世代又は第４世代のモバイル通信ネットワークによって提供される広範なカバレージエリアを利用することは便利であり得るが、現在、欠点がある。スマートフォンなど従来の第３世代又は第４世代のモバイル端末とは異なり、ＭＴＣ型端末の主なドライバは、そのような端末が比較的単純で安価であることを望む。ＭＴＣ型端末によって典型的に実行される機能のタイプ（例えば、比較的少量のデータの単純な収集及び報告／受信）は、例えば、ビデオストリーミングをサポートするスマートフォンと比較して、実行するのに特に複雑な処理を必要としない。しかし、第３世代及び第４世代のモバイル通信ネットワークは、典型的には、高度なデータ変調技法を採用し、実装するためにより複雑で高価な無線トランシーバ及びデコーダを必要とする可能性がある無線インターフェースでの広範な帯域幅の使用をサポートする。典型的には、スマートフォンは、典型的なスマートフォンタイプの機能を実行するための強力なプロセッサを必要とするので、そのような複雑な要素をスマートフォンに含めることは、通常、正当である。しかし、上記のように、それにもかかわらず、ＬＴＥタイプのネットワークを使用して通信することができる、比較的安価であまり複雑でないデバイスを使用することが現在望まれている。
【０００６】
そのようなデバイスの複雑度、コスト、及び電力消費を低減するために提案された技法の中で、第１のものは、デバイスが動作する周波数帯域の制限である。現在、低複雑度の（「ＬＣ」）端末は６つ以下の物理リソースブロック「ＰＲＢ」の帯域幅で動作することが提案されている。ＬＴＥでは、６つのＰＲＢが１．４ＭＨｚの帯域幅に対応している。制限された能力を有する端末が動作するために限られた帯域幅が提供されているとき、それはしばしば「狭帯域」と呼ばれる。したがって、通信システムの帯域幅は、複数の６つのＰＲＢ狭帯域に分割される可能性があり、ＬＣ−ＭＴＣ端末は、これらの狭帯域のいずれかに同調できることが期待される。
【０００７】
ＭＴＣデバイス及びＬＣ−ＭＴＣデバイスのカバレージを向上させるための別の技法は、反復の使用である。このカバレージ拡張（ＣＥ）機能では、ＬＣ−ＭＴＣに送信されたシンボル又はメッセージを繰り返すことによって、ＬＣ−ＭＴＣのカバレージを最大１５ｄＢ（Ｃａｔ−１端末のカバレージと比較して）だけ拡張できる。同じ情報の多数の反復を使用して、基地局によって提供されるカバレージを拡張することができる。
【０００８】
狭帯域技法は、動作帯域幅を低減することによって端末の簡素化を可能にし、それによってコスト、複雑度、及び電力消費を削減するが、全帯域幅の端末を想定して設計されたレガシーシステムに狭帯域端末を統合することは困難である可能性があり、システムの全帯域幅にわたって信号を受信できないとき、ＬＣ端末が正常に動作することが困難であることがわかる。特に、端末は、ある時点で受信することができる帯域幅が制限され、したがって、そのような端末にとって既存の構成及び技法のいくつかが利用できない。
【発明の概要】
【課題を解決するための手段】
【０００９】
第１の態様例によれば、モバイル通信システムにおいてランダムアクセス手順で応答メッセージを送信する方法が提供される。当該方法は、アップリンクランダムアクセス要求を送信することと、前記ランダムアクセス要求に応答して、ダウンリンクメッセージを送信するためのダウンリンクリソースを示すダウンリンク割当てメッセージを送信することと、前記ダウンリンク割当てメッセージに示された前記リソースを使用して前記ダウンリンクメッセージを送信することと、前記ダウンリンクメッセージを受信したことに応答して、アップリンクメッセージを送信することと、１つ以上の応答リソースを使用して、前記アップリンクメッセージに関する応答メッセージを送信することであって、前記１つ以上の応答リソースが、前記ダウンリンク割当てメッセージ、前記ダウンリンクメッセージ、及び前記アップリンクランダムアクセス要求のうちの少なくとも１つに基づいて識別されることと、を含む
【００１０】
第２の態様例によれば、ランダムアクセス手順で応答メッセージを送信するためのモバイル通信システムが提供される。当該モバイル通信システムは、モバイルノードと端末とを含み、前記端末から前記モバイルノードにアップリンクランダムアクセス要求を送信し、前記ランダムアクセス要求に応答して、前記モバイルノードから前記端末に、ダウンリンクメッセージを送信するためのダウンリンクリソースを示すダウンリンク割当てメッセージを送信し、前記モバイルノードから前記端末に、前記ダウンリンク割当てメッセージに示された前記リソースを使用して前記ダウンリンクメッセージを送信し、前記ダウンリンクメッセージの受信に応答して、前記端末から前記モバイルノードに、アップリンクメッセージを送信し、前記モバイルノードから前記端末に、１つ以上の応答リソースを使用して、前記アップリンクメッセージに関する応答メッセージを送信し、前記１つ以上の応答リソースが、前記ダウンリンク割当てメッセージ、前記ダウンリンクメッセージ、及び前記アップリンクランダムアクセス要求のうちの少なくとも１つに基づいて識別される、ように構成される。
【００１１】
第３の態様例によれば、モバイル通信システムにおいてランダムアクセス手順で応答メッセージを受信するために端末を動作させる方法が提供さえる、当該方法は、アップリンクランダムアクセス要求を送信することと、前記アップリンクランダムアクセス要求に応答して、ダウンリンクメッセージを送信するためのダウンリンクリソースを示すダウンリンク割当てメッセージを受信することと、前記ダウンリンク割当てメッセージに示された前記リソースを使用して前記ダウンリンクメッセージを受信することと、前記ダウンリンクメッセージの受信に応答して、前記送信機を介してアップリンクメッセージを送信することと、前記受信機を介して、１つ以上の応答リソースを使用して、前記アップリンクメッセージに関する応答メッセージを受信することであり、前記１つ以上の応答リソースが、前記ダウンリンク割当てメッセージ及び前記ダウンリンクメッセージのうちの少なくとも１つに基づいて識別されることと、を含む
【００１２】
第４の態様例によれば、モバイル通信システムにおいてランダムアクセス手順で応答メッセージを受信するための端末が提供される。当該端末は、送信機、受信機、及びコントローラを含み、前記コントローラが、前記送信機を介して、アップリンクランダムアクセス要求を送信し、前記受信機を介して、前記アップリンクランダムアクセス要求に応答して、ダウンリンクメッセージを送信するためのダウンリンクリソースを示すダウンリンク割当てメッセージを受信し、前記受信機を介して、前記ダウンリンク割当てメッセージに示された前記リソースを使用して前記ダウンリンクメッセージを受信し、前記ダウンリンクメッセージの受信に応答して、前記送信機を介してアップリンクメッセージを送信し、前記受信機を介して、１つ以上の応答リソースを使用して、前記アップリンクメッセージに関する応答メッセージを受信し、前記１つ以上の応答リソースが、前記ダウンリンク割当てメッセージ及び前記ダウンリンクメッセージのうちの少なくとも１つに基づいて識別される、ように構成される。
【００１３】
第５の態様例によれば、モバイル通信システムにおいてランダムアクセス手順で応答メッセージを受信するための端末のための集積回路が提供される。当該集積回路は、コントローラ要素とトランシーバ要素とを含み、前記コントローラ要素及びトランシーバ要素が一緒に動作して、前記トランシーバ要素を介して、アップリンクランダムアクセス要求を送信し、前記トランシーバ要素を介して、前記アップリンクランダムアクセス要求に応答して、ダウンリンクメッセージを送信するためのダウンリンクリソースを示すダウンリンク割当てメッセージを受信し、前記トランシーバ要素を介して、前記ダウンリンク割当てメッセージに示された前記リソースを使用して前記ダウンリンクメッセージを受信し、前記ダウンリンクメッセージの受信に応答して、前記トランシーバ要素を介してアップリンクメッセージを送信し、前記トランシーバ要素を介して、１つ以上の応答リソースを使用して、前記アップリンクメッセージに関する応答メッセージを受信し、前記１つ以上の応答リソースが、前記ダウンリンク割当てメッセージ及び前記ダウンリンクメッセージのうちの少なくとも１つに基づいて識別される、ように構成される。
【００１４】
第６の態様例によれば、モバイル通信システムにおいてランダムアクセス手順で応答メッセージを送信するためにモバイルノードを動作させる方法が提供される。当該方法は、前記受信機を介して、アップリンクランダムアクセス要求を受信することと、前記ランダムアクセス要求に応答して、前記送信機を介して、ダウンリンクメッセージを送信するためのダウンリンクリソースを示すダウンリンク割当てメッセージを送信し、前記送信機を介して、前記ダウンリンク割当てメッセージに示された前記リソースを使用して前記ダウンリンクメッセージを送信し、前記受信機を介して、アップリンクメッセージのためのアップリンク信号を受信し、前記送信機を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、を含む。
【００１５】
第７の態様例によれば、モバイル通信システムにおいてランダムアクセス手順で応答メッセージを送信するためのモバイルノードが提供される。当該モバイルノードは、送信機、受信機、及びコントローラを含み、前記コントローラが、前記受信機を介して、アップリンクランダムアクセス要求を受信し、前記ランダムアクセス要求に応答して、前記送信機を介して、ダウンリンクメッセージを送信するためのダウンリンクリソースを示すダウンリンク割当てメッセージを送信し、前記送信機を介して、前記ダウンリンク割当てメッセージに示された前記リソースを使用して前記ダウンリンクメッセージを送信し、前記受信機を介して、アップリンクメッセージのためのアップリンク信号を受信し、前記送信機を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、ように構成される。
【００１６】
第８の態様例によれば、モバイル通信システムにおいてランダムアクセス手順で応答メッセージを送信するためのモバイルノードのための集積回路が提供される。当該集積回路は、コントローラ要素とトランシーバ要素とを含み、前記コントローラ要素及びトランシーバ要素が一緒に動作して、前記トランシーバ要素を介して、アップリンクランダムアクセス要求を受信し、前記ランダムアクセス要求に応答して、前記トランシーバ要素を介して、ダウンリンクメッセージを送信するためのダウンリンクリソースを示すダウンリンク割当てメッセージを送信し、前記トランシーバ要素を介して、前記ダウンリンク割当てメッセージに示された前記リソースを使用して前記ダウンリンクメッセージを送信し、前記トランシーバ要素を介して、アップリンクメッセージのためのアップリンク信号を受信し、前記トランシーバ要素を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、ように構成される
【００１７】
第９及び第１０の態様例によれば、コンピュータによって実行されると、上記の方法のいずれかをコンピュータに実行させるコンピュータソフトウェア、及びコンピュータソフトウェアを記憶する記憶媒体がそれぞれ提供される。
【００１８】
さらなるそれぞれの態様及び特徴は、添付の特許請求の範囲によって定義される。
【００１９】
上記の段落は、一般的な導入によって提供されたものであり、以下の特許請求の範囲を限定するものではない。記載の実施形態は、さらなる利点と共に、添付の図面と併せて以下の詳細な説明を参照することによって最もよく理解されよう。
【図面の簡単な説明】
【００２０】
以下の詳細な説明を添付の図面と併せ読むとよりよく理解されるので、本開示のより完全な理解、及びその付随する利点の多くは、容易に得られるであろう。図中、いくつかの図を通して同様の参照番号が同一の部分又は対応する部分を示す。
【００２１】
【図１】モバイル通信システムの一例を示す概略図である。
【図２】従来のＰＵＳＣＨ／ＨＡＲＱタイミングの一例を示す図である。
【図３】従来のＲＡＣＨ手順のための例示的なコールフローを示す図である。
【図４】狭帯域分布の概略図である。
【図５】ＲＡＲメッセージを使用したＨＡＲＱリソース指示の一例を示す図である。
【図６】ＤＣＩメッセージを使用したＨＡＲＱリソース指示の一例を示す図である。
【図７】ＲＡＲメッセージを使用したＨＡＲＱリソースのタイミング及び周波数の指示の一例を示す図である。
【図８】ＤＣＩメッセージを使用したＨＡＲＱリソースの指示の一例を示す図である。
【図９】ＲＡＲメッセージ及びカバレージレベルを使用したＨＡＲＱリソースのタイミング及び周波数の指示の一例を示す図である。
【図１０】ランダムアクセス手順で応答メッセージを送信するための例示的な方法を示す図である。
【図１１】通信システムにおける例示的な端末及び例示的な基地局を示す図である。
【発明を実施するための形態】
【００２２】
図１は、この例では一般にＬＴＥの原理に従って動作し、以下でさらに説明するように本開示の実施形態を実装するように適合され得るモバイル（セルラー）通信ネットワーク／システム１００のいくつかの基本機能を示す概略図を提供する。図１の様々な要素及びそれらのそれぞれの動作モードは、よく知られており、３ＧＰＰ（ＲＴＭ）機関によって管理される関連する規格において定義されており、例えば、Ｈｏｌｍａ，Ｈ．ａｎｄ  Ｔｏｓｋａｌａ，Ａ［２］など、この主題に関する多くの書籍にも記載されている。以下に具体的には説明されていない通信ネットワークの動作態様は、例えば、関連する規格及びその既知の変形に係る任意の既知の技法に従って実装され得ることが理解されよう。さらに、本明細書で説明するいくつかの特定の例は、特定の３ＧＰＰ実装に基づいた実装を指し得るが、ネットワークの基本的な動作原理にかかわらず同じ原則を適用することができることが理解されよう。すなわち、過去に指定されたか、現在指定されているか、未だ指定されていないかにかかわらず、他の規格に従って動作するワイヤレス通信ネットワークに同じ原則を適用することができる。
【００２３】
ネットワークは、コアネットワーク１０２に接続された複数の基地局１０１を含む。各基地局は、その中で端末デバイス１０４との間でデータを通信することができるカバレージエリア１０３（すなわち、セル）を提供する。データは、無線ダウンリンクを介して基地局１０１からそれぞれのカバレージエリア１０３内の端末デバイス１０４に送信される。データは、無線アップリンクを介して端末デバイス１０４から基地局１０１に送信される。アップリンク及びダウンリンク通信は、ネットワークのオペレータによって使用され得る無線リソースを使用して行われる。コアネットワーク１０２は、それぞれの基地局１０１を介して端末デバイス１０４との間でデータをルーディングし、認証、移動度管理、課金などの機能を提供する。基地局１０１及び端末デバイス１０４に加えて、システムは、１つ以上の中継ノード／デバイスをさらに備え得る。これらは、関連するセル内で動作する端末デバイスのカバレージを拡張するために使用され得る。（例えば、それらの場所に関する）中継ノードの配備は、中継ノードを使用してワイヤレス通信システムにおいてカバレージをサポートするための一般的に確立された技法に従い得る。用語に関して、端末デバイスは、移動局、ユーザ機器（ＵＥ）、ユーザ端末、移動無線、モバイル端末、モバイルデバイスなどとも呼ばれ得ることを理解されよう。同様に、基地局は、トランシーバ局／ノードＢ／ｅノードＢなどとも呼ばれ得る。
【００２４】
３ＧＰＰで定義されたＬＴＥ（Long  Term  Evolution）アーキテクチャに従って構成されたものなどのモバイル通信システムは、無線ダウンリンク（いわゆるＯＦＤＭＡ）及び無線アップリンク（いわゆるＳＣ−ＦＤＭＡ）のための直交周波数分割多重（ＯＦＤＭ）ベースのインターフェースを使用する。
【００２５】
ＭＴＣ端末では、端末は、これは必須ではないが、モバイル（例えば、スマートメータ）である可能性は低く、低レイテンシで高スループットの通信を必要とする可能性は低く、したがって、例えば狭帯域を使用するためなど、端末の能力を制限することは、従来の端末の場合ほど問題ではない可能性がある。しかし、狭帯域端末が直面する問題の中で、端末が一度に１つの狭帯域しか使用できないという問題がある。ＬＣ端末が別のモバイルノードと通信している場合、既存の構成及び技法のうちのいくつかは、もはや端末にとって利用可能ではない。これは、例えば、以下の図２及び図３の議論から明らかなように、ランダムアクセス手順において問題となる可能性があり、図２は、従来のＰＵＳＣＨ／ＨＡＲＱタイミングの一例を示し、図３は、例示的なＬＴＥ環境における従来のＲＡＣＨ手順のための例示的なコールフローを示す。
【００２６】
ＬＴＥにおいて、アップリンクトラフィックは、同期ＨＡＲＱ再送が使用される物理アップリンク共有チャネル（ＰＵＳＣＨ）を使用して送信される。同期ＨＡＲＱ送信では、ＰＵＳＣＨの時間ロケーション、ＨＡＲＱ  ＡＣＫ／ＮＡＣＫ、及びその後のＰＵＳＣＨ再送は、ＨＡＲＱプロセス内であらかじめ定義される。例えば、図２において、端末は、時間ｔ０とｔ１との間に、例えばＥＰＤＣＣＨ（Evolved-Physical  Downlink  Control  Channel）によって搬送されるダウンリンク制御情報（ＤＣＩ）からアップリンクグラント（ＭＣＳ及びＰＲＢなどスケジューリング情報を含む）を受信する。しかし、アップリンクグラントは、端末がＰＵＳＣＨを送信すべきときに関するいかなる時間情報も含まない。通信プロトコル及び規約であらかじめ定義されているように、端末は、アップリンクグラントを受信した４サブフレーム後、すなわち時間ｔ２とｔ３の間のサブフレームにおいて、ＰＵＳＣＨ信号を送信することが予想される。そのとき、端末は、ＰＵＳＣＨを送信した４サブフレーム後、すなわち図２の時間ｔ３とｔ４との間に、基地局からのＨＡＲＱ  ＡＣＫ／ＮＡＣＫ応答メッセージを予想することになる。例えば、基地局がＰＵＳＣＨを正しく受信できなかったなど、再送がある場合、ＨＡＲＱ  ＡＣＫ／ＮＡＣＫの受信の４サブフレーム後、すなわち時間ｔ５において開始するサブフレームで行われることになる。このＨＡＲＱプロセスが実行されている間、時間ｔ１後に最大７つの他のＨＡＲＱプロセス（合計８回の試行）が行われる可能性がある。最大数の再送に達した後、基地局がＰＵＳＣＨを受信しなかった場合、送信は失敗し、端末及び基地局は、データを回復する、又は送信を再試行するために、それを上位層に事実上任せる。したがって、ＨＡＲＱリソースのタイミングは、ＰＵＳＣＨ送信のために割り当てられたリソースによってあらかじめ定義される。
【００２７】
ＨＡＲＱメッセージを送信するための周波数リソースもあらかじめ定義されており、これは、ＨＡＲＱ送信が適応モードであるか非適応モードであるかに依存し得る。現在のシステムでは、非適応ＨＡＲＱ又は適応ＨＡＲＱを使用してＨＡＲＱ  ＡＣＫ／ＮＡＣＫメッセージ（応答メッセージ）を送信することができ、非適応ＨＡＲＱでは、基地局は、ＡＣＫ又はＮＡＣＫのいずれかを含む物理ハイブリッドＡＲＱインジケータチャネル（ＰＨＩＣＨ）メッセージを送信する。端末は、ＮＡＣＫを受信した場合、ＰＵＳＣＨ送信のための初期アップリンクグラントにおけるものと同じ変調及びコーディング方式（ＭＣＳ）並びに周波数リソース（物理リソースブロック「ＰＲＢ」）を使用して、４サブフレーム後、ＰＵＳＣＨを再送することになる。ＰＨＩＣＨは、システム帯域幅全体にまたがっている。適応ＨＡＲＱの場合、基地局は、ＮＡＣＫ、及び例えばＰＵＳＣＨ再送に使用するためのＰＲＢ（周波数リソース）を示すスケジューリング情報を含むＥＰＤＣＣＨによって搬送されるＤＣＩを使用してアップリンクグラントを送信する。言い換えれば、適応ＨＡＲＱは、元のＰＵＳＣＨ送信に使用されるものよりもＰＵＳＣＨ再送のための他のリソースの使用におけるスケジューリングのより多くの柔軟性を基地局に与える。ＥＰＤＣＣＨもシステム帯域幅全体にまたがっている。
【００２８】
次に図３を参照すると、従来のランダムアクセス手順（ＲＡＣＨ又はＰＲＡＣＨ手順と呼ばれることもある）が示されている。端末は、ネットワークに接続する（又はリソースを要求する）ためにＲＡＣＨプロセスを実行し、この手順を単独で開始することを決定する、又は例えばページングメッセージの後にそれを行うように促すことができる。端末は、最初に、プリアンブルを使用してランダムアクセスチャネル（ＲＡＣＨ）上でメッセージを送信し、基地局は、基地局が応答しているプリアンブル及び対応するメッセージ３のためのアップリンクグラント（スケジューリング情報）を示すダウンリンク上のランダムアクセス応答（ＲＡＲ）メッセージで応答する。実際には、ＲＡＲは、例えば、ＰＤＣＣＨ（又は必要に応じてＥＰＤＣＣＨ）上のＤＣＩメッセージによるなど、ＰＤＣＣＨ（共通探索空間内）を使用してスケジュールされる。
【００２９】
端末のプリアンブルが基地局によって応答されている場合、端末は、通常ＲＲＣ接続を開始するためのＲＲＣ接続要求であるメッセージ３を送信するために、（ＲＡＲ内の）アップリンクグラントに示されるＰＵＳＣＨリソースを使用する。これには、一般に、ダウンリンクでのメッセージ４（例えば、ＲＲＣ接続セットアップ）と、アップリンクでのメッセージ５（例えば、ＲＲＣ接続セットアップ完了）が続く。メッセージ３がＰＵＳＣＨを介して送信されるとき、ＨＡＲＱ応答及び（再）送信が、必要に応じて、このメッセージに適用される。しかし、従来のＨＡＲＱ方法は、応答を端末に送信するために、（Ｅ）ＰＤＣＣＨ及び／又はＰＨＩＣＨに依拠する。レガシーＰＨＩＣＨ及びＰＤＣＣＨは、システム帯域幅全体を占有するので、例えば、広帯域からではなく６ＰＲＢの狭帯域でのみ信号を受信できるＲｅｌ−１３＋ＬＣ−ＭＴＣ端末など、限られた帯域幅能力を有する端末によって使用することができない。
【００３０】
ＲＡＲのスケジューリング情報を含むＤＣＩを搬送するために、６つのＰＲＢ内で送信することができる、ＥＰＤＣＣＨに基づくＭＰＤＣＣＨを使用してＲＡＲをスケジュールする提案がある。ＲＡＲメッセージのためのリソースの割当ての送信の詳細は、本開示に関係するが、その範囲外である。対照的に、本開示は、ランダムアクセス手順、特に、アップリンク上の、ランダムアクセス手順の第３のメッセージについての応答メッセージの送信、及びこの応答メッセージのためのリソースの割当てに関する。また、図３のメッセージ３は、アイドルモードからの、端末からの最初のＰＵＳＣＨ送信であり、この時点では、端末固有の構成は、まだ利用可能ではないことをも理解されたい。したがって、ＨＡＲＱリソースは、必要に応じて、メッセージ３についてのＨＡＲＱ再送を可能にするように構成及び選択される必要がある。
【００３１】
一例では、応答メッセージを送信するためのリソースは、割当てメッセージ（例えば、ＤＣＩ）、アップリンクランダムアクセスメッセージに応答（例えば、ＲＡＲ）したダウンリンクメッセージ（例えば、ＰＲＡＣＨプリアンブルメッセージ）、及びアップリンクランダムアクセス要求／メッセージ（例えば、ＰＲＡＣＨプリアンブルメッセージ）のうちの少なくとも１つに基づき、それから識別可能である。例えば、リソースは、ランダムアクセス要求、割当てメッセージ、及びダウンリンクメッセージのうちの１つ以上の任意の組合せによって、暗黙的及び／又は明示的に示すことができる。応答は、それ自体がアップリンクランダムアクセス要求に応答して送信されたダウンリンクメッセージに応答して送信されるアップリンクメッセージに対するものである。
【００３２】
以下の例では、狭帯域分布を示す図４の概略図に示すように、システム帯域幅のより狭い帯域の一部のみをＨＡＲＱメッセージを送信するために使用できることが予想される。しかし、システム帯域幅のより狭い帯域（本開示がＬＴＥにおいて現在定義されている狭帯域に限定されない場合でも、現在のＬＴＥ用語を使用して狭帯域と呼ぶ）のすべてをＨＡＲＱ応答メッセージを送信するために使用することができる場合、又は応答メッセージを送信するためにより少ない／より多くの／異なる狭帯域を使用できる場合、同じ原理が適用されることを理解されたい。また、狭帯域のすべてではなく一部のみが応答に使用される場合、応答の狭帯域は、端末が既知とすることができ（例えば、規格であらかじめ定義されている）、又は端末に通信されてもよい。一例では、ＨＡＲＱ再送のために利用可能なリソースは、基地局によってそのセル全体に送信されるシステム情報ブロック（ＳＩＢ）メッセージなど、ブロードキャストされたメッセージを介して端末に送信することができる。以下の例では、一般に、各基地局が、セル内のすべての端末へのＳＩＢ送信を使用してＨＡＲＱメッセージにどのリソースが使用されるかを通信するように、異なる基地局が、ＨＡＲＱメッセージについて異なるリソースを使用することを望み得ることが想定されるが、本開示はこの例に限定されない。
【００３３】
図５は、ＲＡＲメッセージを使用したＨＡＲＱリソース指示の一例を示す。この例では、ＰＵＳＣＨ上のメッセージ３についてのＨＡＲＱメッセージを送信するために使用される周波数リソースが、アップリンクランダムアクセスメッセージに応答して送信されるＲＡＲメッセージ内に示される。例えば、図５において、システム帯域幅は、８つの狭帯域からなり（各狭帯域は６つのＰＲＢ）、ＳＩＢは、ＨＡＲＱリソースとしてこれらの狭帯域のうちの３つ（狭帯域１、狭帯域４、及び狭帯域７）を構成する。ＤＣＩベースのＨＡＲＱ  ＡＣＫ／ＮＡＣＫが使用される場合、これらの示された狭帯域は、ＭＰＤＣＣＨ探索空間であり、ＬＣ−ＭＴＣ端末は、例えば、図５の狭帯域４など、関連する狭帯域内のこのＤＣＩを監視する。したがって、端末は、メッセージ３についてのＨＡＲＱメッセージを送信するためにどのリソースが使用されるかをＲＡＲメッセージから導出することができ、したがって、ＡＣＫ／ＮＡＣＫメッセージを受信するために適切な狭帯域に同調させることによって、応答メッセージを受信することができる。
【００３４】
図６は、ＤＣＩメッセージを使用したＨＡＲＱリソース指示の一例を示す。この例は、図５に関して論じたものと類似しているが、応答メッセージを送信するためのダウンリンクリソースの指示が、ダウンリンクメッセージ（例えば、ＲＡＲメッセージ）のためのダウンリンク割当てメッセージ（例えば、ＤＣＩ）によって提供される。このＤＣＩは、そのとき、ＲＡＲメッセージだけでなく、ＲＡＲメッセージへの応答（メッセージ３）に関して送信されるべきＨＡＲＱメッセージのスケジューリングに関する情報も含むことになる。
【００３５】
一般に、リソース指示は、端末が応答メッセージ及び／又はリソースのタイミングを探索する周波数リソースを示し得る。一例では、指示は、狭帯域のうちの１つについてのものであり、タイミングは、上記で論じたように、アップリンク（例えば、ＰＵＳＣＨ）メッセージのタイミングから導出され得るが、他の場合には、以下でさらに説明するように、他のタイミング構成が使用されてもよい。また、いくつかの構成では、指示は、例えば、ＲＡＲ及び／又はＤＣＩメッセージに含まれるリソース割当て／スケジューリング情報など、明示的なものであってよく、又は、以下で説明するように、暗黙的なものであってもよい。
【００３６】
ＲＡＲ及び／又はＤＣＩメッセージ内にＨＡＲＱリソースを示すことは、ＨＡＲＱメッセージを送信するために使用される可能性のあるリソースにおける柔軟性をより多く提供する（それによって潜在的にリソース使用率を向上させる）ことができるが、これは、ＲＡＲ及び／又はＤＣＩメッセージのサイズを増加させることになる。この影響は通常のカバレージでは限定される、又は重要ではないとみなされる可能性があるが、これによって、ＤＣＩとＲＡＲが繰り返される、カバレージ拡張動作における反復が長くなることになる。これを改善する観点から、いくつかの例では、ＨＡＲＱリソースは、少なくとも部分的に、ランダムアクセス要求、ダウンリンク割当てメッセージ、及び（ランダムアクセス要求に応答する）対応するダウンリンクメッセージのうちの任意の１つ以上から暗黙的に識別可能であり得る。
【００３７】
一例では、応答（ＨＡＲＱ）リソースは、アップリンクランダムアクセス要求に使用されるＲＡＣＨリソースと使用されるＨＡＲＱリソースとの間の定義されたリンクを使用して暗黙的に識別可能であり得る。リンクは、例えば、ＳＩＢ及び／又は仕様で定義されてもよい。従来、ＲＡＣＨリソースは、周波数、時間、及びコード（ＰＲＡＣＨプリアンブル）の組合せからなる。端末によって選択されたプリアンブルに応じて、ＨＡＲＱメッセージのためのリソースは、（場合によっては、必要に応じて、追加情報にも基づいて）識別することができる。（すなわち、反復のない通常のカバレージを含む場合、合計４つのカバレージレベルについて）３つのＣＥレベルが使用される場合、ＲＡＣＨリソースは、例えば、各ＣＥレベルについて定義することができる。すなわち、異なるＣＥリソースレベルに異なる周波数リソースを使用することができ、及び／又は異なるＣＥレベルに異なるプリアンブルコードを使用することができる。例えば、６４個のプリアンブルコードが存在し、３個のＨＡＲＱリソースが定義されている場合（例えば、ＨＡＲＱメッセージを送信するための３個の狭帯域）、端末は、ＣＥレベル１の端末がプリアンブルコード０〜２１を使用し、ＨＡＲＱメッセージがＨＡＲＱリソース１を使用し、ＣＥレベル２の端末ではプリアンブルコード２２〜４２及びＨＡＲＱリソース２、ＣＥレベル３の端末ではプリアンブルコード４３〜６４及びＨＡＲＱリソース３を使用するように構成され得る。ＲＡＣＨ周波数リソース又は周波数とプリアンブルとの組合せについて、同様の関係を定義することができることを理解されたい。いくつかの例では、ランダムアクセス要求が送信された時間は、メッセージ３に関してＨＡＲＱメッセージに使用されるべきリソースにもリンクされ得る。
【００３８】
別の例では、ＨＡＲＱリソースは、ダウンリンクメッセージ（例えば、ＲＡＲ）を送信するために使用される（ＰＤＳＣＨ）リソースによって暗黙的に示される。ＲＡＲは、ＤＣＩによってスケジュールされ、構成された狭帯域のいずれかを占有することができ、一例では、使用される狭帯域は、ＨＡＲＱリソースを示すために使用することができる。例えば、３つのＨＡＲＱリソース（ＨＡＲＱリソース１、ＨＡＲＱリソース２、及びＨＡＲＱリソース３）を再度検討し、ＲＡＲに使用される狭帯域が狭帯域６である場合、ＨＡＲＱリソースは、例えば以下のように、ＲＡＲを送信するために使用される狭帯域の関数とすることができる。
ＨＡＲＱリソース＝（ＮａｒｒｏｗｂａｎｄＲＡＲ  ＭＯＤ３）＋１  （１）
【００３９】
すなわち、この例示的な例では、ＨＡＲＱリソースはＨＡＲＱリソース１である。これは例示として提供されるＭＯＤ関数であり、ダウンリンク（例えば、ＰＤＳＣＨ）リソースに基づく他の関数又はリンクを使用できることを理解されたい。また、ダウンリンクメッセージ（例えば、ＰＤＳＣＨ上でＲＡＲ）を送信するために反復及び／又は周波数ホッピングが使用される場合、例えば規約に基づいて、ＨＡＲＱリソースを暗黙的に示すために、最初の反復又は最後の反復に対応する狭帯域を使用することができる。ダウンリンクメッセージからの暗黙的指示のこの例は、使用すべきリソースの指示が明示的に示されるのではなく、少なくとも暗黙的に示される図５の図にも対応することは注目に値する。
【００４０】
同様に、図６では、例えば、ダウンリンク割当てメッセージを送信するために使用されるリソースに基づいて、ダウンリンク割当てメッセージ（例えば、ＲＡＲをスケジュールするために使用されるＭＰＤＣＣＨ上のＤＣＩ）に基づいて、応答リソースを少なくとも部分的に暗黙的に識別することができる。一例では、ＭＰＤＣＣＨで使用される第１の拡張制御チャネル要素（ＥＣＣＥ）インデックスは、使用されるＨＡＲＱリソースを暗黙的に示すために使用される。ダウンリンク割当てメッセージを送信するために使用される時間及び／又は周波数リソースと、応答メッセージを送信するためのリソースとの間の追加の又は他のリンクが使用され得る。
【００４１】
図８は、ＤＣＩメッセージを使用した応答リソースの暗黙的指示の別の例を示す。この例では、ＨＡＲＱメッセージは、ＭＰＤＣＣＨ探索空間内でＤＣＩによって搬送され、ＨＡＲＱリソース（すなわち、ＤＣＩを含むＭＰＤＣＣＨ探索空間）は、ＲＡＲをスケジュールするために使用されるものと同じである。図８に示すように、端末は、まず、ＲＡＲをスケジュールするＤＣＩについてＭＰＤＣＣＨ探索空間を監視する。ＲＡＲは、メッセージ３（ＰＵＳＣＨ）のための、及び（ＰＵＳＣＨを使用して）メッセージ３を送信した後のスケジューリング情報を含み、端末は、次いで、ＨＡＲＱ  ＡＣＫ／ＮＡＣＫについて同じＭＰＤＣＣＨ探索空間（すなわち、同じ周波数リソース及びＭＰＤＣＣＨ候補のセット）を監視することができる。タイミングは、例えば、メッセージ３のアップリンク送信の後の所定の時間（例えば、４サブフレーム）の後、又は任意の他のタイミング決定方法を使用して、適切であると判定され得る。ＤＣＩとＨＡＲＱ  ＡＣＫ／ＮＡＣＫメッセージとの間の同じＭＰＤＣＣＨ探索空間のこの共有が輻輳を引き起こす可能性があることに留意されたい。しかし、この例は、ＨＡＲＱリソースを決定する際に比較的簡単な手法を提供することができる。
【００４２】
また、上述したようにＡＣＫ／ＮＡＣＫリソースを識別するために導出することができるリソース指示は、一般に、応答メッセージが送信される周波数帯域又は周波数リソースを議論識別するが、明示的又は暗黙的な指示は、応答メッセージの送信のタイミングの指示を提供することもできる。いくつかの例では、タイミングは、例えば４サブフレーム後など、アップリンクメッセージ（メッセージ３）のタイミングに基づいて自動的に選択され、他の例では、他のタイミングが使用されてもよく、それらは、アップリンクランダムアクセス要求（ＰＲＡＣＨメッセージ）、ダウンリンク割当てメッセージ（ＤＣＩ）、又はダウンリンクメッセージ（ＲＡＲ）のうちの少なくとも１つに基づいて識別され得る。例えば、図７は、ＲＡＲメッセージを使用したＨＡＲＱリソースのタイミング及び周波数の指示の一例を示す。この例では、ＲＡＲは、そのＨＡＲＱ  ＡＣＫ／ＮＡＣＫメッセージを監視するための端末（例えば、ＬＣ−ＭＴＣ端末）についてのタイミングオフセットをも示す。このシナリオは、周波数領域に十分なＨＡＲＱリソースがない場合、応答メッセージ送信のタイミングを調整することが有用である可能性があることを認識する。その結果、この実施形態は、ＨＡＲＱリソースが時間的に拡張することを可能にする。より具体的には、図７に示す例では、周波数領域において３つのＨＡＲＱリソースが構成されている。複数のＲＡＲを単一のＭＡＣメッセージに多重化することができ、周波数ドメイン内に十分なリソースがない場合、ＲＡＲは、時間的にＨＡＲＱリソースのうちの１つを示すことができる。オフセットが示されていない場合、又はデフォルトのオフセットが示されている場合、端末は、（例えば、ＰＵＳＣＨ送信などのタイミングに基づいて）デフォルトのタイミングについて示された周波数リソースを監視することを知る。図７の例では、特定の端末のＲＡＲは、例えば、デフォルトのタイミングが時間ｔ１である状態で、時間ｔ２で開始するＨＡＲＱリソース２を指し示す。事実上、この例は、応答メッセージを送信するために使用されるＨＡＲＱリソースに対する時間又はタイミング指示を使用する。時間オフセットを導入することは、現在使用されているＰＵＳＣＨ同期ＨＡＲＱ送信のタイムラインを中断するが、これは、いくつかの場合には、メッセージの反復に起因してタイムラインが既に中断されている可能性がある場合、カバレージ拡張動作又は反復動作などにおいて、許容可能と考えられ得ることが指摘されるものとする。
【００４３】
また、応答メッセージを送信するためのリソースは、反復が実装され、使用されている場合、複数のサブフレームにまたがり得ることにも留意されたい。ＨＡＲＱリソースは、特定のカバレージレベルに使用でき、例えば、３つの異なるカバレージレベルの場合には、ＨＡＲＱリソース１は、カバレージレベル１の（ＬＣ−ＭＴＣ）端末に、ＨＡＲＱリソース２は、カバレージレベル２の端末に、及びＨＡＲＱリソース３は、カバレージレベル３の端末に使用することができる。異なるカバレージレベルは、異なる回数の反復を必要とするため、ＨＡＲＱリソースは、関連する反復回数に応じて、異なる数のサブフレームにまたがり得る。また、単一のカバレージレベルに対して複数のＨＡＲＱリソースを構成できることも理解されたい。この例では、ＲＡＲは、ＨＡＲＱリソースが使用された、及び端末がＨＡＲＱ  ＡＣＫ／ＮＡＣＫを監視するためのインデックス（例えば、２ビット）を示すことができる。
【００４４】
例えば、別のリソース（例えば、ＲＡＣＨメッセージ、ＰＤＳＣＨ上のＲＡＲメッセージ、ＤＣＩのためのＭＰＤＣＣＨ  ＥＣＣＥなど）との定義されたリンクを使用した、応答リソースの暗黙的指示の間に、これは基地局スケジューラに制限を課す可能性がある。例えば、ＨＡＲＱリソースにリンクされたリソースが使用されると、基地局は、一般に、ＨＡＲＱ送信のために必要とされる場合、リンクされたＨＡＲＱリソースが利用可能なままであることを確実にしようとするはずである（例えば、ランダムアクセス手順は、完了する前に停止されない）。これは、基地局の複雑度を増大させ、送信のためのリソースの割当て及びスケジューリングにおける柔軟性を低減する可能性がある。一方、リソースの明示的指示は、ＲＡＲ又はＤＣＩのサイズを増加させる可能性があり、これは同じく、制限が付きまとうことになる。したがって、別の例では、暗黙／明示ハイブリッド指示を使用することができる。本明細書で論じられるような暗黙的及び明示的な指示の任意の組合せを使用することができ、一例では、暗黙的指示（例えば、端末によって選択されたＲＡＣＨリソース）は、使用できる可能なＨＡＲＱリソース（例えば、ＨＡＲＱリソース３を除く、ＨＡＲＱリソース１又は２）を狭め、ＲＡＲ又はＤＣＩメッセージにおける低減された明示的シグナリングは、正確なＨＡＲＱリソース（例えば、リソース２）を示すことができる。例えば、ＲＡＣＨメッセージ及びＲＡＲメッセージを使用するＨＡＲＱリソースのタイミング及び周波数の指示の一例を示す図９において、３つのＨＡＲＱリソース（周波数帯域）が周波数領域において利用可能であり、ＨＡＲＱリソース１はカバレージ拡張レベル１、ＨＡＲＱリソース２はカバレージ拡張レベル２、及びＨＡＲＱリソース３はカバレージ拡張レベル３用である。ＨＡＲＱリソース１及びＨＡＲＱリソース２では、例えば時間リソースをより広範囲に利用する観点から、それらは時間的にも拡張される。この例では、ＬＣ−ＭＴＣ端末によって使用されるＲＡＣＨリソースは、使用されるカバレージ拡張レベルを暗黙的に示し、これは、より小さいＨＡＲＱリソースの可能性まで抑えることになる。例えば、使用されるＲＡＣＨリソースがカバレージ拡張レベル２に対応する場合、ＨＡＲＱリソース２が時間ｔ１で開始するか時間ｔ３で開始するかを示すために、ＲＡＲには１ビットのみ必要である。
【００４５】
別の例示的な例では、リソースのハイブリッド指示は、基準ＨＡＲＱリソースへのオフセットを示すＲＡＲ又はＤＣＩメッセージに依拠し得る。例えば、ＨＡＲＱ  ＡＣＫ／ＮＡＣＫがＤＣＩによって搬送される場合、基準ＨＡＲＱリソースは、ＲＡＲをスケジュールするために使用されるＭＰＤＣＣＨ探索空間とすることができ（例えば、図８に関する議論を参照）、これは、応答メッセージを送信するために使用されるリソース（周波数リソース）の暗黙的指示を提供することになる。ＲＡＲ又はＤＣＩメッセージは、このリソースに関連する周波数又は時間オフセットを明示的に示すことができる。例えば、ＲＡＲをスケジュールするＭＰＤＣＣＨ探索空間が狭帯域５にある場合、ＲＡＲは、狭帯域６でＨＡＲＱリソースを見つけることができることを示す周波数オフセット＋１を示すことができる。
【００４６】
図１０は、ランダムアクセス手順で応答メッセージを送信するための例示的な方法１０００を示す。方法１０００が開始され、Ｓ１０１において、アップリンクランダムアクセス要求が、例えば端末によって、及び／又はアップリンクランダムアクセスチャネル上で送信される。アップリンクメッセージは、例えば、プリアンブルを示し、ＲＡＣＨ上で送信されるメッセージとすることができる。次いで、ランダムアクセス要求に応答して、ダウンリンク（ＤＬ）メッセージを送信するためのＤＬリソースを示すＤＬ割当てメッセージが、例えば基地局によって送信される。例えば、ＤＬ割当てメッセージは、ＭＰＤＣＣＨによって搬送されるＤＣＩとすることができる。次いで、Ｓ１０３において、ＤＬメッセージは、ＤＬ割当てメッセージに示されたリソースを使用して、例えば基地局によって送信される。ＤＬメッセージは、例えば、ＰＤＳＣＨによって搬送されるＲＡＲメッセージとすることができる。次いで、Ｓ１０４で、ＤＬメッセージの受信に応答して、ＵＬメッセージが、例えば、端末によって送信される。ＵＬメッセージは、例えば、ＲＲＣ接続を開始するためのＲＡＣＨ手順におけるメッセージ３に対応し得る。次いで、１つ以上の応答リソースを使用してアップリンクメッセージに関する応答メッセージが送信され（Ｓ１０５）、１つ以上の応答リソースは、アップリンクランダムアクセス要求、ダウンリンク割当てメッセージ、及びダウンリンクメッセージのうちの少なくとも１つに基づいて識別される。例えば、応答リソースは、アップリンクランダムアクセス要求、ダウンリンク割当てメッセージ、又はダウンリンクメッセージからの暗黙的指示又は明示的指示のいずれか１つ又は複数を使用してベースにすることができる。したがって、端末は、応答メッセージを送信するためにどのリソースが使用されるかを識別し、これらのリソースがそのアップリンクメッセージについての応答メッセージを含むかどうかを判定するために、これらのリソースを監視することができる。当業者であれば理解するように、本開示では、より具体的な情報なしに、アップリンクランダムアクセス要求、ダウンリンク割当てメッセージ、ダウンリンクメッセージ、又はアップリンクメッセージについて言及されるとき、これは、図１０を参照して説明したメッセージを指すことを意図する。方法１０は、一般に、端末及び基地局によって実行することができるが、他の例では、例えば、それぞれ、端末及び中継ノードによって、又は中継ノード及び基地局によってなど、異なる要素によって実行することができる。
【００４７】
図１１は、通信システムにおける例示的な端末及び例示的な基地局を示す。図１１は、互いに通信するように構成され、本明細書で論じられるような１つ以上の技法を実装し得る例示的な端末（１１１０）及び例示的な基地局（１１０２）を示す。端末１１１０は、ワイヤレスインターフェースを介して通信するためにアンテナに接続された受信機１１１１及び送信機１１１２を含む。端末は、端末１１１０の少なくとも受信機及び送信機を制御するためのコントローラ１１１３をも含む。例えば、コントローラ、受信機、及び送信機は、一緒に動作して、送信機を介して、アップリンクランダムアクセス要求を送信し、受信機を介して、アップリンクランダムアクセス要求に応答して、ダウンリンクメッセージを送信するためのダウンリンクリソースを示すダウンリンク割当てメッセージを受信し、受信機を介して、ダウンリンク割当てメッセージに示されたリソースを使用してダウンリンクメッセージを受信し、ダウンリンクメッセージの受信に応答して、送信機を介してアップリンクメッセージを送信し、送信機を介して、１つ以上の応答リソースを使用して、アップリンクメッセージに関する応答メッセージを送信し、１つ以上の応答リソースは、ダウンリンク割当てメッセージ及びダウンリンクメッセージのうちの少なくとも１つに基づいて識別される、ように構成され得る。同様に、基地局１１２０は、ワイヤレスインターフェースを介して通信するためにアンテナに接続された受信機１２１１及び送信機１２２２を含む。基地局１１２０は、少なくとも基地局１１２０の受信機及び送信機を制御するためのコントローラ１１３をも含む。例えば、コントローラ、受信機、及び送信機は、一緒に動作して、受信機を介して、アップリンクランダムアクセス要求を受信し、ランダムアクセス要求に応答して、送信機を介して、ダウンリンクメッセージを送信するためのダウンリンクリソースを示すダウンリンク割当てメッセージを送信し、送信機を介して、ダウンリンク割当てメッセージに示されたリソースを使用してダウンリンクメッセージを送信し、受信機を介して、アップリンクメッセージのためのアップリンク信号を受信し、送信機を介して、１つ以上の応答リソースを使用して、アップリンクメッセージに関する応答メッセージを送信し、１つ以上の応答リソースは、ダウンリンク割当てメッセージ及びダウンリンクメッセージのうちの少なくとも１つに基づいて識別される、ように構成され得る。基地局及び端末は、端末から基地局にアップリンク信号を送信し、基地局から端末にダウンリンク信号を送信することによってワイヤレスインターフェースを介して無線で通信することができる。
【００４８】
図１１は、端末及び基地局の概略図を示しているが、本開示の例では、端末及び／又は基地局の間の通信を可能にするために、各端末は、送信機、受信機、及びコントローラを含み、各基地局は、送信機、受信機、及びコントローラを含み、端末及び基地局は、任意の適切な技法を使用して実装され得ることを理解されよう。例えば、コントローラは、ワイヤレス通信システムにおける機器のために従来のプログラミング／構成技法を使用して、本明細書に記載された所望の機能を提供するように適切に構成／プログラムされた１つ以上のプロセッサユニットを備え得る。各端末について、送信機、受信機、及びコントローラは、表現を容易にするために、図１１には別々の要素として概略的に示されている。しかし、各端末について、これらのユニットの機能は、例えば適切にプログラムされた単一の汎用コンピュータ、又は適切に構成された特定用途向け集積回路を使用する、又は所望の機能の異なる要素を提供するための複数の個別の回路／処理要素を使用するなど、様々な異なる方法で提供され得ることを理解されよう。端末は、一般に、確立されたワイヤレス通信技法（例えば、電源、場合によってはユーザインターフェースなど）に従って、それらの動作機能に関連する様々な他の要素を含むことが理解されよう。
【００４９】
したがって、ランダムアクセスに応答するダウンリンクメッセージへのランダムアクセス要求からの、ランダムアクセス手順での任意の１つ以上の以前のメッセージからの受信によって識別可能なリソースを使用して応答メッセージを送信することができる構成が記載されている。したがって、リソースの使用の制限の可能性がある単一の応答チャネルを使用するのではなく、応答に排他的に割り当てられるリソースの量を制限しながら、この応答メッセージを送信するためにより多くの柔軟性及び潜在的により広いリソースが使用され得る。
【００５０】
本開示は、一般に、ＬＣ−ＭＴＣデバイスに関連して提示されているが、本発明の教示は、この例示的な環境に限定されず、他のモバイル通信環境が使用されてもよいことが理解されよう。例えば、ＨＡＲＱ  ＡＣＫ／ＮＡＣＫメッセージは、単に、応答メッセージの一例であると理解することができ、応答は、肯定応答のみ、否定応答のみ、又は（例えば、ＨＡＲＱのように）肯定応答と否定応答の両方を送信するためのものであり得る。同様に、ＲＡＲ及びＤＣＩは、本開示の用語を使用して、それぞれ、ダウンリンクメッセージ（ランダムアクセス要求に応答する）及びダウンリンク割当て要求（ダウンリンクメッセージをスケジュールするため）の例である。
【００５１】
また、本明細書の例は一般に「ＨＡＲＱリソース」を示すことを論じているが、これは、１つ以上のリソースの例として理解されたい。例えば、上記の例に関して、ＨＡＲＱリソースは、一般に、応答を送信するために使用され得る狭帯域を指す。ある観点からは、これは、リソース（周波数帯域）として見ることができ、別の観点からは、いくつかのリソース（例えば、１つ以上のサブフレーム又はフレームを有する１つ以上の、通常は６つのＰＲＢなど）として見ることができる。
【００５２】
また、本開示は、非適応ＨＡＲＱ及び適応ＨＡＲＱの両方のケース（又は適応及び非適応モードを有する他の応答プロセス）に適用可能である。すなわち、否定応答の場合、否定応答は、アップリンクメッセージ再送のためのリソースを示す、又はそのようないかなる指示も含まない可能性があり、再送リソースは、アップリンクメッセージ送信のために以前に使用されたリソースに基づいて決定されてもよい。
【００５３】
さらに、再送が必要な場合、否定応答のためのダウンリンク割当てメッセージ及び／又はダウンリンクメッセージは、アップリンクメッセージの再送に応答して送信されるべきさらなる応答メッセージのための１つ以上のさらなるリソースをさらに示すことができる。例えば、メッセージ３についてのＨＡＲＱ  ＡＣＫ／ＮＡＣＫを搬送するＤＣＩは、ＮＡＣＫの場合、次のメッセージ３再送のためのＨＡＲＱリソースをさらに示すことができる。すなわち、ＬＣ−ＭＴＣ端末は、メッセージ３を搬送する第１のＰＵＳＣＨメッセージを送信した後、ＨＡＲＱ  ＡＣＫ／ＮＡＣＫについてＨＡＲＱリソースを監視する。再送が必要な場合、ＤＣＩは、応答メッセージが「ＮＡＣＫ」についてのものであることをＬＣ−ＭＴＣ端末に通知することに加えて、ＬＣ−ＭＴＣ端末に、メッセージ３を搬送するＰＵＳＣＨを再送した後、ＨＡＲＱ  ＡＣＫ／ＮＡＣＫについて監視する場所をも通知する。これは、基地局スケジューラにさらなる柔軟性を提供することができる。
【００５４】
さらに、本明細書で論じられる方法ステップは、任意の適切な順序で実行されてもよい。例えば、ステップは、上述の例で使用された順序とは異なる順序で、又は可能である又は適切であるときはいつでも、（例えば、特許請求の範囲内で）ステップを列挙するために他の場所で使用される指示順序とは異なる順序で実行されてもよい。したがって、いくつかの場合には、いくつかのステップが異なる順序で、又は同時に又は同じ順序で実行されてもよい。本明細書で論じられる任意の方法のいずれかのステップを搬送するための順序が技術的に実現可能である限り、それは本開示内に明示的に包含される。
【００５５】
本明細書で使用されるように、情報又はメッセージを要素に送信することは、要素に１つ以上のメッセージを送信することを含み、残りの情報とは別に情報の一部を送信することを含み得る。関与する「メッセージ」の数は、考えられるレイヤ又は細分性に応じて異なってもよい（例えば、単一のＭＡＣメッセージは複数のＲＥに対応し得る）。また、ある端末から基地局への送信は、ユーザデータ、発見情報、制御シグナリング、及び送信されるべき任意の他のタイプの情報のうちの任意の１つ以上の送信に関連し得る。
【００５６】
また、ある態様が装置又はシステムに関して開示されるときはいつでも、対応する方法についての教示も開示される。同様に、方法に関してある態様が開示されるときはいつでも、任意の適切な対応する装置又はシステムについての教示も開示される。さらに、機能又はステップを実行するように構成された要素が明確に指定されていない方法又はシステムに関する任意の教示について、機能を実行することができる任意の適切な要素を、この機能又はステップを実行するように構成することができることも本明細書に明示的に開示されている。例えば、任意の１つ以上、又はモバイル端末（例えば、Ｄ２Ｄ端末）、中継ノード（例えば、端末間中継ノード）、基地局、又は任意の他のモバイルノードは、それが技術的に実現可能である限り、必要に応じて、それに応じて構成され得る。
【００５７】
本明細書で「より大きい」又は「より小さい」又は同等の表現が使用されるときはいつでも、一方の代替が明示的に除外されない限り、「に等しい」及び「に等しくない」の両方の代替を開示することを意図する。
【００５８】
本開示がＬＴＥ及び／又はＬＣ−ＭＴＣの文脈で議論されている場合でも、その教示は、これに限定されないが、ＬＴＥ又は他の３ＧＰＰ規格に適用可能であることは注目に値する。特に、本明細書で使用される用語がＬＴＥ規格のものと概して同じである又は類似していても、教示は、ＬＴＥの現在のバージョンに限定されず、ＬＴＥに基づいていない、及び／又はＬＴＥ若しくは３ＧＰＰ若しくは他の規格（例えば、５Ｇ規格）の任意の他の将来のバージョンに準拠する任意の適切な構成に等しく適用することができる。
【００５９】
本発明のさらなる特定の好ましい態様は、添付の独立及び従属請求項に記載されている。従属請求項の特徴を、特許請求の範囲に明示的に記載されたもの以外の組合せで独立請求項の特徴と組み合わせることができることを理解されよう。
【００６０】
したがって、上記の議論は、本発明の単なる例示的な実施形態を開示し、記載する。当業者であれば理解されるように、本発明は、その意図又は本質的な特徴から逸脱することなく、他の特定の形態で具体化されてもよい。したがって、本発明の開示は、本発明及び他の請求項の範囲の制限ではなく例示であるものとする。本開示は、本明細書の教示の容易に識別可能な任意の変形を含めて、一部分、発明の主題が公共用に提供されるものではないように、前述の請求項の用語の範囲を定義する。
【００６１】
本開示のそれぞれの特徴は、以下の番号のついた項によって定義される。
第１項
モバイル通信システムにおいてランダムアクセス手順で応答メッセージを送信する方法であって、
アップリンクランダムアクセス要求を送信することと、
前記ランダムアクセス要求に応答して、ダウンリンクメッセージを送信するためのダウンリンクリソースを示すダウンリンク割当てメッセージを送信することと、
前記ダウンリンク割当てメッセージに示された前記リソースを使用して前記ダウンリンクメッセージを送信することと、
前記ダウンリンクメッセージを受信したことに応答して、アップリンクメッセージを送信することと、
１つ以上の応答リソースを使用して、前記アップリンクメッセージに関する応答メッセージを送信することであって、前記１つ以上の応答リソースが、前記ダウンリンク割当てメッセージ、前記ダウンリンクメッセージ、及び前記アップリンクランダムアクセス要求のうちの少なくとも１つに基づいて識別されることと
を含む方法。
第２項
前記ダウンリンクメッセージが、前記アップリンクメッセージの前記送信のために１つ以上のアップリンクリソースを割り当て、前記１つ以上のアップリンクリソースを使用して前記アップリンクメッセージが送信される、第１項に記載の方法。
第３項
前記１つ以上の応答リソースが、前記ダウンリンク割当てメッセージ内の応答リソースインジケータに少なくとも部分的に基づいて識別される、第１項に記載の方法。
第４項
前記１つ以上の応答リソースが、前記ダウンリンク割当てメッセージを送信するために使用される１つ以上のリソースのセットに少なくとも部分的に基づいて識別される、第１項に記載の方法。
第５項
前記１つ以上の応答リソースが、前記ダウンリンクメッセージ内の応答リソースインジケータに少なくとも部分的に基づいて識別される、第１項に記載の方法。
第６項
前記１つ以上の応答リソースが、前記ダウンリンクメッセージを送信するために使用される１つ以上のリソースのセットに少なくとも部分的に基づいて識別される、第１項に記載の方法。
第７項
前記１つ以上の応答リソースが、アップリンクランダムアクセス要求を送信するために使用される１つ以上のリソースのセットに少なくとも部分的に基づいて識別される、第１項に記載の方法。
第８項
前記１つ以上の応答リソースが、応答メッセージを送信するためのリソースの１つ以上のセットの指示に少なくとも部分的に基づいてさらに識別され、前記指示がブロードキャストメッセージに含まれる、第１項に記載の方法。
第９項
前記１つ以上の応答リソースが、前記応答メッセージの前記送信のための反復レベルに少なくとも部分的に基づいてさらに識別される、第１項に記載の方法。
第１０項
前記１つ以上の応答リソースの周波数帯域及びタイミングのうちの少なくとも１つが、前記ダウンリンク割当てメッセージ及び前記ダウンリンクメッセージのうちの少なくとも１つに基づいて識別される、第１項に記載の方法。
第１１項
前記応答メッセージが否定応答のためのものである場合、前記応答メッセージが、
前記アップリンクメッセージ再送のためのスケジューリング情報のない否定応答、又は
前記アップリンクメッセージ再送のためのスケジューリング情報を含む否定応答
を含む、第１項に記載の方法。
第１２項
前記ダウンリンク割当てメッセージが、ダウンリンク制御情報「ＤＣＩ」メッセージであり、及び／又は
前記ダウンリンクメッセージが、ランダムアクセス応答「ＲＡＲ」メッセージであり、及び／又は
前記アップリンクメッセージが、接続を開始するための無線リソース制御「ＲＲＣ」メッセージを送信するためのものである
第１項に記載の方法。
第１３項
前記応答メッセージが、肯定応答又は否定応答のうちの１つ、及び肯定応答のみを示すためのものである、第１項に記載の方法。
第１４項
ランダムアクセス手順で応答メッセージを送信するためのモバイル通信システムであって、モバイルノードと端末とを含み、
前記端末から前記モバイルノードにアップリンクランダムアクセス要求を送信し、
前記ランダムアクセス要求に応答して、前記モバイルノードから前記端末に、ダウンリンクメッセージを送信するためのダウンリンクリソースを示すダウンリンク割当てメッセージを送信し、
前記モバイルノードから前記端末に、前記ダウンリンク割当てメッセージに示された前記リソースを使用して前記ダウンリンクメッセージを送信し、
前記ダウンリンクメッセージの受信に応答して、前記端末から前記モバイルノードに、アップリンクメッセージを送信し、
前記モバイルノードから前記端末に、１つ以上の応答リソースを使用して、前記アップリンクメッセージに関する応答メッセージを送信し、前記１つ以上の応答リソースが、前記ダウンリンク割当てメッセージ、前記ダウンリンクメッセージ、及び前記アップリンクランダムアクセス要求のうちの少なくとも１つに基づいて識別される
ように構成されるモバイル通信システム。
第１５項
モバイル通信システムにおいてランダムアクセス手順で応答メッセージを受信するために端末を動作させる方法であって、
アップリンクランダムアクセス要求を送信することと、
前記アップリンクランダムアクセス要求に応答して、ダウンリンクメッセージを送信するためのダウンリンクリソースを示すダウンリンク割当てメッセージを受信することと、
前記ダウンリンク割当てメッセージに示された前記リソースを使用して前記ダウンリンクメッセージを受信することと、
前記ダウンリンクメッセージの受信に応答して、前記送信機を介してアップリンクメッセージを送信することと、
前記受信機を介して、１つ以上の応答リソースを使用して、前記アップリンクメッセージに関する応答メッセージを受信することであり、前記１つ以上の応答リソースが、前記ダウンリンク割当てメッセージ及び前記ダウンリンクメッセージのうちの少なくとも１つに基づいて識別されることと
を含む方法。
第１６項
モバイル通信システムにおいてランダムアクセス手順で応答メッセージを受信するための端末であって、前記端末が送信機、受信機、及びコントローラを含み、前記コントローラが、
前記送信機を介して、アップリンクランダムアクセス要求を送信し、
前記受信機を介して、前記アップリンクランダムアクセス要求に応答して、ダウンリンクメッセージを送信するためのダウンリンクリソースを示すダウンリンク割当てメッセージを受信し、
前記受信機を介して、前記ダウンリンク割当てメッセージに示された前記リソースを使用して前記ダウンリンクメッセージを受信し、
前記ダウンリンクメッセージの受信に応答して、前記送信機を介してアップリンクメッセージを送信し、
前記受信機を介して、１つ以上の応答リソースを使用して、前記アップリンクメッセージに関する応答メッセージを受信し、前記１つ以上の応答リソースが、前記ダウンリンク割当てメッセージ及び前記ダウンリンクメッセージのうちの少なくとも１つに基づいて識別される、
ように構成される、
端末。
第１７項
前記コントローラが、前記受信されたダウンリンク割当てメッセージ及び前記受信されたダウンリンクメッセージのうちの少なくとも１つに基づいて、前記１つ以上の応答リソースを識別するように構成される、第１６項に記載の端末。
第１８項
前記受信機が、第１の周波数帯域から信号を受信し、任意の時点で、帯域幅閾値を超えない帯域幅を有する第２の周波数帯域の信号を受信するように構成され、前記第２の周波数帯域が、前記第１の周波数帯域内にあり、前記第１の周波数帯域の前記帯域幅が前記帯域幅閾値を超える、第１６項に記載の端末。
第１９項
モバイル通信システムにおいてランダムアクセス手順で応答メッセージを受信するための端末のための集積回路であって、前記集積回路がコントローラ要素とトランシーバ要素とを含み、前記コントローラ要素及びトランシーバ要素が一緒に動作して、
前記トランシーバ要素を介して、アップリンクランダムアクセス要求を送信し、
前記トランシーバ要素を介して、前記アップリンクランダムアクセス要求に応答して、ダウンリンクメッセージを送信するためのダウンリンクリソースを示すダウンリンク割当てメッセージを受信し、
前記トランシーバ要素を介して、前記ダウンリンク割当てメッセージに示された前記リソースを使用して前記ダウンリンクメッセージを受信し、
前記ダウンリンクメッセージの受信に応答して、前記トランシーバ要素を介してアップリンクメッセージを送信し、
前記トランシーバ要素を介して、１つ以上の応答リソースを使用して、前記アップリンクメッセージに関する応答メッセージを受信し、前記１つ以上の応答リソースが、前記ダウンリンク割当てメッセージ及び前記ダウンリンクメッセージのうちの少なくとも１つに基づいて識別される、
ように構成される、
集積回路。
第２０項
モバイル通信システムにおいてランダムアクセス手順で応答メッセージを送信するためにモバイルノードを動作させる方法であって、
前記受信機を介して、アップリンクランダムアクセス要求を受信することと、
前記ランダムアクセス要求に応答して、前記送信機を介して、ダウンリンクメッセージを送信するためのダウンリンクリソースを示すダウンリンク割当てメッセージを送信し、
前記送信機を介して、前記ダウンリンク割当てメッセージに示された前記リソースを使用して前記ダウンリンクメッセージを送信し、
前記受信機を介して、アップリンクメッセージのためのアップリンク信号を受信し、
前記送信機を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、
を含む方法。
第２１項
モバイル通信システムにおいてランダムアクセス手順で応答メッセージを送信するためのモバイルノードであって、前記モバイルノードが送信機、受信機、及びコントローラを含み、前記コントローラが、
前記受信機を介して、アップリンクランダムアクセス要求を受信し、
前記ランダムアクセス要求に応答して、前記送信機を介して、ダウンリンクメッセージを送信するためのダウンリンクリソースを示すダウンリンク割当てメッセージを送信し、
前記送信機を介して、前記ダウンリンク割当てメッセージに示された前記リソースを使用して前記ダウンリンクメッセージを送信し、
前記受信機を介して、アップリンクメッセージのためのアップリンク信号を受信し、
前記送信機を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、
ように構成される
モバイルノード。
第２２項
モバイル通信システムにおいてランダムアクセス手順で応答メッセージを送信するためのモバイルノードのための集積回路であって、前記集積回路がコントローラ要素とトランシーバ要素とを含み、前記コントローラ要素及びトランシーバ要素が一緒に動作して、
前記トランシーバ要素を介して、アップリンクランダムアクセス要求を受信し、
前記ランダムアクセス要求に応答して、前記トランシーバ要素を介して、ダウンリンクメッセージを送信するためのダウンリンクリソースを示すダウンリンク割当てメッセージを送信し、
前記トランシーバ要素を介して、前記ダウンリンク割当てメッセージに示された前記リソースを使用して前記ダウンリンクメッセージを送信し、
前記トランシーバ要素を介して、アップリンクメッセージのためのアップリンク信号を受信し、
前記トランシーバ要素を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、
ように構成される、
集積回路。
第２３項
コンピュータによって実行されると、前記コンピュータに第１、１５、又は２０項の前記方法を実行させるコンピュータソフトウェア。
第２４項
第２３に記載のコンピュータソフトウェアを記憶した記憶媒体。
第２５項
応答メッセージを送信する方法、応答メッセージを送信するためのモバイル通信システム、応答メッセージを受信するための端末を動作させる方法、応答メッセージを受信するための端末、応答メッセージを受信するための端末のための集積回路、応答メッセージを送信するためのモバイルノードを動作させる方法、応答メッセージを送信するためのモバイルノード、応答メッセージを送信するためのモバイルノードのための集積回路、実質的に添付の図面を参照して上述したコンピュータソフトウェア及び／又は記憶媒体。
第２６項
基地局及びモバイル通信デバイスが、３ＧＰＰ通信プロトコル、ＬＴＥ通信プロトコル、４Ｇ通信プロトコル、及び５Ｇ通信プロトコルのうちの少なくとも１つを使用して、ワイヤレスインターフェースを介して通信するように動作可能である、第１項〜第２５項のうちの任意の項。
【図１】
2018528694.tif 000003
【図２】
2018528694.tif 000004
【図３】
2018528694.tif 000005
【図４】
2018528694.tif 000006
【図５】
2018528694.tif 000007
【図６】
2018528694.tif 000008
【図７】
2018528694.tif 000009
【図８】
2018528694.tif 000010
【図９】
2018528694.tif 000011
【図１０】
2018528694.tif 000012
【図１１】
2018528694.tif 000013
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
モバイル通信システムにおいてランダムアクセス手順で応答メッセージを送信する方法であって、
アップリンクランダムアクセス要求を送信することと、
前記アップリンクランダムアクセス要求に応答して、ダウンリンクメッセージを送信するためのダウンリンクリソースを示すダウンリンク割当てメッセージを送信することと、
前記ダウンリンク割当てメッセージに示された前記ダウンリンクリソースを使用して前記ダウンリンクメッセージを送信することと、
前記ダウンリンクメッセージを受信したことに応答して、アップリンクメッセージを送信することと、
１つ以上の応答リソースを使用して、前記アップリンクメッセージに関する応答メッセージを送信することであって、前記１つ以上の応答リソースが、前記ダウンリンク割当てメッセージ、前記ダウンリンクメッセージ、及び前記アップリンクランダムアクセス要求のうちの少なくとも１つに基づいて識別されることと、
を含む方法。
【請求項２】
前記ダウンリンクメッセージが、前記アップリンクメッセージの前記送信のために１つ以上のアップリンクリソースを割り当て、前記１つ以上のアップリンクリソースを使用して前記アップリンクメッセージが送信される、請求項１に記載の方法。
【請求項３】
前記１つ以上の応答リソースが、前記ダウンリンク割当てメッセージ内の応答リソースインジケータに少なくとも部分的に基づいて識別される、請求項１に記載の方法。
【請求項４】
前記１つ以上の応答リソースが、前記ダウンリンク割当てメッセージを送信するために使用される１つ以上のリソースのセットに少なくとも部分的に基づいて識別される、請求項１に記載の方法。
【請求項５】
前記１つ以上の応答リソースが、前記ダウンリンクメッセージ内の応答リソースインジケータに少なくとも部分的に基づいて識別される、請求項１に記載の方法。
【請求項６】
前記１つ以上の応答リソースが、前記ダウンリンクメッセージを送信するために使用される１つ以上のリソースのセットに少なくとも部分的に基づいて識別される、請求項１に記載の方法。
【請求項７】
前記１つ以上の応答リソースが、アップリンクランダムアクセス要求を送信するために使用される１つ以上のリソースのセットに少なくとも部分的に基づいて識別される、請求項１に記載の方法。
【請求項８】
前記１つ以上の応答リソースが、応答メッセージを送信するためのリソースの１つ以上のセットの指示に少なくとも部分的に基づいてさらに識別され、前記指示がブロードキャストメッセージに含まれる、請求項１に記載の方法。
【請求項９】
前記１つ以上の応答リソースが、前記応答メッセージの前記送信のための反復レベルに少なくとも部分的に基づいてさらに識別される、請求項１に記載の方法。
【請求項１０】
前記１つ以上の応答リソースの周波数帯域及びタイミングのうちの少なくとも１つが、前記ダウンリンク割当てメッセージ及び前記ダウンリンクメッセージのうちの少なくとも１つに基づいて識別される、請求項１に記載の方法。
【請求項１１】
前記応答メッセージが否定応答のためのものである場合、前記応答メッセージが、
前記アップリンクメッセージの再送のためのスケジューリング情報のない否定応答、又は
前記アップリンクメッセージの再送のためのスケジューリング情報を含む否定応答
を含む、請求項１に記載の方法。
【請求項１２】
前記ダウンリンク割当てメッセージが、ダウンリンク制御情報「ＤＣＩ」メッセージであり、及び／又は
前記ダウンリンクメッセージが、ランダムアクセス応答「ＲＡＲ」メッセージであり、及び／又は
前記アップリンクメッセージが、接続を開始するための無線リソース制御「ＲＲＣ」メッセージを送信するためのものである
請求項１に記載の方法。
【請求項１３】
前記応答メッセージが、肯定応答又は否定応答のうちの１つ、及び肯定応答のみを示すためのものである、請求項１に記載の方法。
【請求項１４】
ランダムアクセス手順で応答メッセージを送信するためのモバイル通信システムであって、モバイルノードと端末とを含み、
前記端末から前記モバイルノードにアップリンクランダムアクセス要求を送信し、
前記アップリンクランダムアクセス要求に応答して、前記モバイルノードから前記端末に、ダウンリンクメッセージを送信するためのダウンリンクリソースを示すダウンリンク割当てメッセージを送信し、
前記モバイルノードから前記端末に、前記ダウンリンク割当てメッセージに示された前記ダウンリンクリソースを使用して前記ダウンリンクメッセージを送信し、
前記ダウンリンクメッセージの受信に応答して、前記端末から前記モバイルノードに、アップリンクメッセージを送信し、
前記モバイルノードから前記端末に、１つ以上の応答リソースを使用して、前記アップリンクメッセージに関する応答メッセージを送信し、前記１つ以上の応答リソースが、前記ダウンリンク割当てメッセージ、前記ダウンリンクメッセージ、及び前記アップリンクランダムアクセス要求のうちの少なくとも１つに基づいて識別される
ように構成されるモバイル通信システム。
【請求項１５】
モバイル通信システムにおいてランダムアクセス手順で応答メッセージを受信するために端末を動作させる方法であって、
アップリンクランダムアクセス要求を送信することと、
前記アップリンクランダムアクセス要求に応答して、ダウンリンクメッセージを送信するためのダウンリンクリソースを示すダウンリンク割当てメッセージを受信することと、
前記ダウンリンク割当てメッセージに示された前記ダウンリンクリソースを使用して前記ダウンリンクメッセージを受信することと、
前記ダウンリンクメッセージの受信に応答して、アップリンクメッセージを送信することと、
１つ以上の応答リソースを使用して、前記アップリンクメッセージに関する応答メッセージを受信することであり、前記１つ以上の応答リソースが、前記ダウンリンク割当てメッセージ及び前記ダウンリンクメッセージのうちの少なくとも１つに基づいて識別されることと
を含む方法。
【請求項１６】
モバイル通信システムにおいてランダムアクセス手順で応答メッセージを受信するための端末であって、前記端末が送信機、受信機、及びコントローラを含み、前記コントローラが、
前記送信機を介して、アップリンクランダムアクセス要求を送信し、
前記受信機を介して、前記アップリンクランダムアクセス要求に応答して、ダウンリンクメッセージを送信するためのダウンリンクリソースを示すダウンリンク割当てメッセージを受信し、
前記受信機を介して、前記ダウンリンク割当てメッセージに示された前記ダウンリンクリソースを使用して前記ダウンリンクメッセージを受信し、
前記ダウンリンクメッセージの受信に応答して、前記送信機を介してアップリンクメッセージを送信し、
前記受信機を介して、１つ以上の応答リソースを使用して、前記アップリンクメッセージに関する応答メッセージを受信し、前記１つ以上の応答リソースが、前記ダウンリンク割当てメッセージ及び前記ダウンリンクメッセージのうちの少なくとも１つに基づいて識別される、
ように構成される、
端末。
【請求項１７】
前記コントローラが、前記受信されたダウンリンク割当てメッセージ及び前記受信されたダウンリンクメッセージのうちの少なくとも１つに基づいて、前記１つ以上の応答リソースを識別するように構成される、請求項１６に記載の端末。
【請求項１８】
前記受信機が、第１の周波数帯域から信号を受信し、任意の時点で、帯域幅閾値を超えない帯域幅を有する第２の周波数帯域の信号を受信するように構成され、前記第２の周波数帯域が、前記第１の周波数帯域内にあり、前記第１の周波数帯域の前記帯域幅が前記帯域幅閾値を超える、請求項１６に記載の端末。
【請求項１９】
モバイル通信システムにおいてランダムアクセス手順で応答メッセージを受信するための端末のための集積回路であって、前記集積回路がコントローラ要素とトランシーバ要素とを含み、前記コントローラ要素及びトランシーバ要素が一緒に動作して、
前記トランシーバ要素を介して、アップリンクランダムアクセス要求を送信し、
前記トランシーバ要素を介して、前記アップリンクランダムアクセス要求に応答して、ダウンリンクメッセージを送信するためのダウンリンクリソースを示すダウンリンク割当てメッセージを受信し、
前記トランシーバ要素を介して、前記ダウンリンク割当てメッセージに示された前記ダウンリンクリソースを使用して前記ダウンリンクメッセージを受信し、
前記ダウンリンクメッセージの受信に応答して、前記トランシーバ要素を介してアップリンクメッセージを送信し、
前記トランシーバ要素を介して、１つ以上の応答リソースを使用して、前記アップリンクメッセージに関する応答メッセージを受信し、前記１つ以上の応答リソースが、前記ダウンリンク割当てメッセージ及び前記ダウンリンクメッセージのうちの少なくとも１つに基づいて識別される、
ように構成される、
集積回路。
【請求項２０】
モバイル通信システムにおいてランダムアクセス手順で応答メッセージを送信するためにモバイルノードを動作させる方法であって、
アップリンクランダムアクセス要求を受信することと、
前記アップリンクランダムアクセス要求に応答して、ダウンリンクメッセージを送信するためのダウンリンクリソースを示すダウンリンク割当てメッセージを送信し、
前記ダウンリンク割当てメッセージに示された前記ダウンリンクリソースを使用して前記ダウンリンクメッセージを送信し、
アップリンクメッセージのためのアップリンク信号を受信し、
１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、
を含む方法。
【請求項２１】
モバイル通信システムにおいてランダムアクセス手順で応答メッセージを送信するためのモバイルノードであって、前記モバイルノードが送信機、受信機、及びコントローラを含み、前記コントローラが、
前記受信機を介して、アップリンクランダムアクセス要求を受信し、
前記アップリンクランダムアクセス要求に応答して、前記送信機を介して、ダウンリンクメッセージを送信するためのダウンリンクリソースを示すダウンリンク割当てメッセージを送信し、
前記送信機を介して、前記ダウンリンク割当てメッセージに示された前記ダウンリンクリソースを使用して前記ダウンリンクメッセージを送信し、
前記受信機を介して、アップリンクメッセージのためのアップリンク信号を受信し、
前記送信機を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、
ように構成される
モバイルノード。
【請求項２２】
モバイル通信システムにおいてランダムアクセス手順で応答メッセージを送信するためのモバイルノードのための集積回路であって、前記集積回路がコントローラ要素とトランシーバ要素とを含み、前記コントローラ要素及びトランシーバ要素が一緒に動作して、
前記トランシーバ要素を介して、アップリンクランダムアクセス要求を受信し、
前記アップリンクランダムアクセス要求に応答して、前記トランシーバ要素を介して、ダウンリンクメッセージを送信するためのダウンリンクリソースを示すダウンリンク割当てメッセージを送信し、
前記トランシーバ要素を介して、前記ダウンリンク割当てメッセージに示された前記ダウンリンクリソースを使用して前記ダウンリンクメッセージを送信し、
前記トランシーバ要素を介して、アップリンクメッセージのためのアップリンク信号を受信し、
前記トランシーバ要素を介して、１つ以上の応答リソースを使用して、前記アップリンクメッセージに関する応答メッセージを送信し、前記１つ以上の応答リソースが、前記ダウンリンク割当てメッセージ及び前記ダウンリンクメッセージのうちの少なくとも１つに基づいて識別される、
ように構成される、
集積回路。
【請求項２３】
コンピュータによって実行されると、前記コンピュータに請求項１、１５、又は２０の前記方法を実行させるコンピュータソフトウェア。
【請求項２４】
請求項２３に記載のコンピュータソフトウェアを記憶した記憶媒体。
【国際調査報告】
2018528694.tif 000014
2018528694.tif 000015
2018528694.tif 000016